(57)【要約】【課題】従来構成よりも少ない部品点数、かつ簡単な構造で、暖房能力を一定に保つことができる暖房ユニットおよびそれを用いた熱利用装置を提供する。【解決手段】暖房ユニット１は、暖房コイル１５の両端間に暖房コイル１５とは別経路で熱媒の流路を形成する補助流路１６と、暖房コイル１５における熱媒の出口側において暖房コイル１５と補助流路１６との合流点に挿入され、暖房コイル１５および補助流路１６のそれぞれから流入する熱媒の流量の比をサーモワックスを用いて調節する温度制御弁１７とを備える。温度制御弁１７は、暖房コイル１５から流入する熱媒の温度を所定の設定温度に保つように、暖房コイル１５から流入する熱媒の流量と補助流路１６から流入する熱媒の流量との比を暖房コイル１５から流入する熱媒の温度に応じて調節する。【選択図】図１
2007255851.tif 000002
【特許請求の範囲】
【請求項１】
熱媒の流路を形成することにより熱媒の熱を室内に放熱する暖房コイルと、暖房コイルの両端間に暖房コイルとは別経路で熱媒の流路を形成する補助流路と、暖房コイルにおける熱媒の出口側において暖房コイルと補助流路との合流点に挿入され、暖房コイルから流入する熱媒の流量と補助流路から流入する熱媒の流量との比をサーモワックスを用いて調節する温度制御弁とを備え、温度制御弁は、暖房コイルから流入する熱媒の温度を所定の設定温度に保つように、暖房コイルから流入する熱媒の流量と補助流路から流入する熱媒の流量との比を暖房コイルから流入する熱媒の温度に応じて調節することを特徴とする暖房ユニット。
【請求項２】
給気用通気路を通して外気を室内に給気する給気手段を備え、前記暖房コイルは、給気用通気路上に配置されていることを特徴とする請求項１記載の暖房ユニット。
【請求項３】
前記給気用通気路とは別に設けられた排気用通気路を通して室内の空気を室外に排気する排気手段と、給気用通気路および排気用通気路の両方に跨って配置され空気中の水分を吸着するデシカントロータと、排気用通気路上であってデシカントロータよりも上流に配置されており、前記暖房コイルの両端間に暖房コイルおよび前記補助流路とは別経路で前記熱媒の流路を形成し、デシカントロータの水分を脱着して空気と共に室外に排出させるように熱媒の熱でデシカントロータを加熱する再生コイルとを備え、暖房コイルおよび補助流路と再生コイルとの分岐点には、暖房コイルおよび補助流路に熱媒を流すか否かを切り替える運転切替弁が挿入されていることを特徴とする請求項２に記載の暖房ユニット。
【請求項４】
熱媒が流れる主流路と、主流路に挿入された請求項１ないし請求項３のいずれかに記載の暖房ユニットと、暖房ユニットの両端間に暖房ユニットとは別経路で熱媒の流路を形成するバイパス流路と、暖房ユニットとバイパス流路との分岐点に挿入された三方弁からなり、暖房ユニットおよびバイパス流路のいずれか一方と主流路との間に熱媒の流路を形成する熱媒流路切替弁と、主流路において熱媒流路切替弁より上流側で熱媒の温度を検出する温度センサとを備え、熱媒流路切替弁は、温度センサで検出された熱媒の温度が閾値を上回るときに暖房ユニットと主流路との間に流路を形成し、温度センサで検出された熱媒の温度が閾値以下のときにバイパス流路と主流路との間に流路を形成することを特徴とする暖房ユニットを用いた熱利用装置。
【発明の詳細な説明】
【技術分野】
【０００１】
本発明は、熱媒の熱を利用して暖房を行う暖房ユニットおよびそれを用いた熱利用装置に関するものである。
【背景技術】
【０００２】
近年、ガスエンジンなどで発電時に発生する排熱を回収可能に構成されたコージェネレーションシステムが注目されている。この種のコージェネレーションシステムに対しては、発電時に発生する排熱を流体からなる熱媒で回収して暖房ユニット等に供給することにより、発電時の排熱を利用して暖房等を行わせる熱利用装置が接続される。
【０００３】
図３に示す熱利用装置Ａは、給湯用の給湯ユニット６および暖房用の暖房ユニット１を備え、コージェネレーションシステムＢと給湯ユニット６と暖房ユニット１とを通るように熱媒が循環する主流路７が形成された構成を有する。これにより、コージェネレーションシステムＢで発生した排熱を熱媒で回収し、給湯ユニット６および暖房ユニット１の各々において給湯、暖房にそれぞれ利用することができる。
【０００４】
熱利用装置Ａに用いられる暖房ユニット１は、熱媒の流路を形成する暖房コイル１５を備え、熱媒が暖房コイル１５を流れるときに暖房コイル１５において熱媒の熱を放熱させることにより暖房を行う。さらに、図３の暖房ユニット１では、取り込んだ空気を暖房コイル１５における熱媒の放熱によって加熱しながら室内に給気する給気手段（図示せず）が設けられている。
【０００５】
ところで、排熱の発生量が変動しやすいコージェネレーションシステムＢを熱媒を加熱する熱源に用いた熱利用装置Ａでは、主流路７を循環する熱媒を貯留し熱媒の熱を蓄熱する貯湯用タンク１２を設け、コージェネレーションシステムＢで加熱された熱媒が貯湯用タンク１２を通過してから暖房コイル１５を通るように熱媒を循環させることにより、コージェネレーションシステムＢでの排熱の発生量が変動しても暖房コイル１５に流れる熱媒の温度が変動しにくい構成とすることが考えられている（たとえば特許文献１参照）。
【０００６】
ただし、特許文献１に記載の構成であっても、長期的に見ると貯湯用タンク１２内の熱媒全体の温度が変動することにより、暖房コイル１５に流れる熱媒の温度が変動することがある。その結果、暖房ユニット１から室内に給気される空気の温度（以下、給気温度という）が変動し、所望の暖房能力が得られないことがある。
【０００７】
これに対して、図３に示す暖房ユニット１は、給気温度が所定の設定温度よりも高ければ暖房コイル１５に流す熱媒の流量を減らし、逆に、給気温度が設定温度よりも低ければ暖房コイル１５に流す熱媒の流量を増やすことにより、給気温度を設定温度に保つようにしている。
【０００８】
そのための構成として、図３の暖房ユニット１では、暖房コイル１５の両端間に暖房コイル１５とは別経路で熱媒の流路を形成する補助流路１６を設けるとともに、暖房コイル１５と補助流路１６との分岐点に、暖房コイル１５に流す熱媒の流量と補助流路１６に流す熱媒の流量との比を調節する温度制御弁１７’を設けてある。温度制御弁１７’はステッピングモータを用いた電磁式の三方弁からなり、温度制御弁１７’を制御するために、給気の吹出し口付近において給気温度を検出する温度センサ２５と、温度センサ２５で検出された給気温度に応じて温度制御弁１７’を制御する制御回路２６とが設けられている。制御回路２６は、給気温度が所定の設定温度よりも高ければ暖房コイル１５に流す熱媒の流量の比を減らし、給気温度が設定温度よりも低ければ暖房コイル１５に流す熱媒の流量の比を増やすように温度制御弁１７’を制御する。
【特許文献１】特開２００５−６１７１１号公報（第８頁）
【発明の開示】
【発明が解決しようとする課題】
【０００９】
しかし、図３の構成では、暖房能力を一定に保つために温度センサ２５と制御回路２６とが不可欠であるから、部品点数が多くなり、暖房ユニット１の構造が複雑になる。その結果、暖房ユニット１の低コスト化が妨げられることになる。
【００１０】
本発明は上記事由に鑑みて為されたものであって、従来構成よりも少ない部品点数、かつ簡単な構造で、暖房能力を一定に保つことができる暖房ユニットおよびそれを用いた熱利用装置を提供することを目的とする。
【課題を解決するための手段】
【００１１】
請求項１の発明では、熱媒の流路を形成することにより熱媒の熱を室内に放熱する暖房コイルと、暖房コイルの両端間に暖房コイルとは別経路で熱媒の流路を形成する補助流路と、暖房コイルにおける熱媒の出口側において暖房コイルと補助流路との合流点に挿入され、暖房コイルから流入する熱媒の流量と補助流路から流入する熱媒の流量との比をサーモワックスを用いて調節する温度制御弁とを備え、温度制御弁は、暖房コイルから流入する熱媒の温度を所定の設定温度に保つように、暖房コイルから流入する熱媒の流量と補助流路から流入する熱媒の流量との比を暖房コイルから流入する熱媒の温度に応じて調節することを特徴とする。
【００１２】
請求項２の発明は、請求項１の発明において、給気用通気路を通して外気を室内に給気する給気手段を備え、前記暖房コイルが、給気用通気路上に配置されていることを特徴とする。
【００１３】
請求項３の発明は、請求項２の発明において、前記給気用通気路とは別に設けられた排気用通気路を通して室内の空気を室外に排気する排気手段と、給気用通気路および排気用通気路の両方に跨って配置され空気中の水分を吸着するデシカントロータと、排気用通気路上であってデシカントロータよりも上流に配置されており、前記暖房コイルの両端間に暖房コイルおよび前記補助流路とは別経路で前記熱媒の流路を形成し、デシカントロータの水分を脱着して空気と共に室外に排出させるように熱媒の熱でデシカントロータを加熱する再生コイルとを備え、暖房コイルおよび補助流路と再生コイルとの分岐点には、暖房コイルおよび補助流路に熱媒を流すか否かを切り替える運転切替弁が挿入されていることを特徴とする。
【００１４】
請求項４の発明は、熱媒が流れる主流路と、主流路に挿入された請求項１ないし請求項３のいずれかに記載の暖房ユニットと、暖房ユニットの両端間に暖房ユニットとは別経路で熱媒の流路を形成するバイパス流路と、暖房ユニットとバイパス流路との分岐点に挿入された三方弁からなり、暖房ユニットおよびバイパス流路のいずれか一方と主流路との間に熱媒の流路を形成する熱媒流路切替弁と、主流路において熱媒流路切替弁より上流側で熱媒の温度を検出する温度センサとを備え、熱媒流路切替弁は、温度センサで検出された熱媒の温度が閾値を上回るときに暖房ユニットと主流路との間に流路を形成し、温度センサで検出された熱媒の温度が閾値以下のときにバイパス流路と主流路との間に流路を形成することを特徴とする。
【発明の効果】
【００１５】
請求項１の構成によれば、温度制御弁は、暖房コイルから流入する熱媒の温度を所定の設定温度に保つように、暖房コイルから流入する熱媒の流量と補助流路から流入する熱媒の流量との比を暖房コイルから流入する熱媒の温度に応じて調節するので、暖房ユニットの暖房能力を一定に保つことができる。しかも、暖房コイルから流入する熱媒の流量と補助流路から流入する熱媒の流量との比をサーモワックスを用いて調節する温度制御弁を採用しているので、従来構成では不可欠であった温度センサや制御回路が不要となり、従来構成よりも少ない部品点数、かつ簡単な構造の暖房ユニットを提供することができる。
【００１６】
請求項２の構成によれば、外気を室内に取り込む給気用通気路上に暖房コイルが配置されており、室内に取り込まれる空気は暖房コイルに流れる熱媒との熱交換により暖められることになるので、外気の温度が室温以下であっても室温を低下させることなく外気を室内に取り込むことができる。
【００１７】
請求項３の構成によれば、暖房コイルおよび補助流路と再生コイルとの分岐点に、暖房コイルおよび補助流路に熱媒を流すか否かを切り替える運転切替弁が設けられているので、運転切替弁を切り替えることにより、暖房コイルおよび補助流路に熱媒を流さずにデシカントロータによる除湿のみを行う状態と、暖房コイルおよび補助流路に熱媒を流して暖房および除湿を行う状態とを切り替えることができる。
【００１８】
請求項４の構成によれば、熱媒流路切替弁が、温度センサで検出された熱媒の温度が閾値を上回るときに暖房ユニットと主流路との間に流路を形成し、温度センサで検出された熱媒の温度が閾値以下のときにバイパス流路と主流路との間に流路を形成するので、熱媒の温度が閾値以下になると、熱媒流路切替弁が切り替わることにより熱媒が暖房ユニットに流れ込まなくなる。したがって、外気の温度を前記閾値とすれば、室内に給気される空気が暖房コイルを流れる熱媒との熱交換により冷やされることがなくなるので、暖房ユニットから冷風が給気されてしまう不都合を回避できる。再生コイルにおいて熱媒から取り出した熱をデシカントロータの水分の脱着に利用できる熱媒の最低温度を前記閾値とすれば、デシカントロータの水分が脱着されない状態で暖房ユニットが運転されてしまう不都合を回避できる。また、ガスエンジンなどで発電時に発生した排熱を回収可能に構成されたコージェネレーションシステムに対して、発電時に発生した排熱を熱媒で回収するように熱利用装置を接続した場合には、暖房ユニットは、コージェネレーションシステムにおいて発電時に発生した排熱を利用して暖房を行うことができるので、発電時の排熱を利用しない場合に比べてエネルギの利用効率がよくなる。
【発明を実施するための最良の形態】
【００１９】
（実施形態１）
本実施形態では、図１に示すように、流体からなる熱媒（ここでは温水）を暖房ユニット１等に供給することにより熱媒の熱を利用して暖房等を行わせる熱利用装置Ａとして、発電用のガスエンジン２を備え電気だけでなく発電時に発生する排熱も取り出せるように構成されたコージェネレーションシステムＢに接続され、コージェネレーションシステムＢで発電時に発生した排熱を暖房等に利用するものを例示する。
【００２０】
コージェネレーションシステムＢは、図示しない発電機に出力が接続されたガスエンジン２と、ガスエンジン２の排熱を回収するようにガスエンジン２を通して熱回収用水の流路を形成する回収流路３と、回収流路３に挿入され熱回収用水を回収流路３に循環させる回収用ポンプ４と、回収流路３に挿入された回収用熱交換器５とを備える。
【００２１】
熱利用装置Ａは、給湯用の給湯ユニット６および暖房用の暖房ユニット１を備え、コージェネレーションシステムＢの回収用熱交換器５と給湯ユニット６と暖房ユニット１とを通るように熱媒が循環する主流路７が形成された構成により、コージェネレーションシステムＢで発生した排熱を熱媒で回収して給湯ユニット６および暖房ユニット１で利用できるようにしてある。つまり、主流路７を循環する熱媒は回収用熱交換器５において熱回収用水の熱で加熱されることになる。
【００２２】
給湯ユニット６は、主流路７に挿入された給湯用熱交換器８を備え、給湯用熱交換器８を通して水道水の流路を形成する給水路９が設けられている。これにより、給水路９を流れる水道水は給湯用熱交換器８において熱媒の熱で加熱されることになる。給湯用熱交換器８における給水路９側の両端には給湯用熱交換器８とは別経路で水道水の流路を形成するミキシング流路１０が設けられており、給湯用熱交換器８における水道水の出口側において給湯用熱交換器８とミキシング流路１０との合流点には、給湯用熱交換器８を通した水道水とミキシング流路１０を通した水道水とを混合して給水路９に送出するミキシング弁１１が設けられている。ミキシング弁１１は、ミキシング弁１１から給水路９に送出される湯水の温度が所定の給湯温度となるように、給湯用熱交換器８を通した水道水とミキシング流路１０を通した水道水との流量の比を調節する。
【００２３】
さらに、本実施形態では、給湯ユニット６内に、主流路７に挿入され熱媒を貯留する貯湯用タンク１２を設けており、この貯湯用タンク１２に熱媒を一旦貯留することによって熱媒の熱を蓄熱できるようにしてある。給湯ユニット６内には、主流路７に挿入された熱媒用ポンプ１３も設けられている。熱媒用ポンプ１３は、回収用熱交換器５において加熱された熱媒が、貯湯用タンク１２、給湯用熱交換器８、熱媒用ポンプ１３、暖房ユニット１、回収用熱交換器５の順に流れるように、主流路７に熱媒を循環させる。
【００２４】
また、給水路９において給湯用熱交換器８より上流になる部位とミキシング弁１１より下流になる部位との間には、三方弁からなる給湯切替弁１４を介してバックアップ給湯器（図示せず）が接続される。この給湯切替弁１４は、給湯用熱交換器８において水道水の十分な加熱が見込めない場合、つまり給湯用熱交換器８に流入する熱媒の温度が所定の閾値以下の場合に、水道水を給湯用熱交換器８ではなくバックアップ給湯器に流すように流路を切り替え、バックアップ給湯器にて加熱された湯水が給水路９に送出されるようにする。バックアップ給湯器には周知の瞬間湯沸器を用いる。ここで、貯湯用タンク１２内には熱媒の温度を検出する温度センサ（図示せず）が設けられており、この温度センサで検出される温度が前記閾値以下か否かによって給湯切替弁１４が切り替わるように構成される。
【００２５】
一方、暖房ユニット１は、主流路７に挿入され熱媒の流路を形成する暖房コイル１５と、暖房コイル１５の両端間に暖房コイル１５とは別経路で熱媒の流路を形成する補助流路１６と、暖房コイル１５における熱媒の出口側において暖房コイル１５と補助流路１６との合流点に挿入された三方弁からなる温度制御弁１７とを備えている。ここではさらに、ダクトなどの給気用通気路（図示せず）を通して外気を室内に給気するファン（図示せず）を給気手段として備えており、ファンにより室内に給気される空気と暖房コイル１５を流れる熱媒との間で熱交換が行われるように、給気用通気路上に暖房コイル１５を設けてある。温度制御弁１７は、熱媒を暖房コイル１５および補助流路１６から取り込んで主流路７に流すように取り付けられており、暖房コイル１５から流入する熱媒の流量と補助流路１６から流入する熱媒の流量との比を調節する。
【００２６】
ところで、本実施形態の温度制御弁１７は、温度に応じて変形するパラフィンワックスであるサーモワックスを用いたもの（いわゆるワックス弁）であって、暖房ユニット１から室内に給気される空気の温度（以下、給気温度という）そのものではなく、暖房コイル１５から温度制御弁１７に流入する熱媒の温度を所定の設定温度に保つように、暖房コイル１５に流す熱媒の流量と補助流路１６に流す熱媒の流量との比を暖房コイル１５から温度制御弁１７に流入する熱媒の温度に応じて調節している。
【００２７】
具体的に説明すると、温度制御弁１７は、暖房コイル１５から温度制御弁１７に流入した熱媒の温度が前記所定温度よりも高くなると、補助流路１６に流す熱媒の流量の比を増加させて暖房コイル１５に流す熱媒の流量の比を減少させることにより、暖房コイル１５から流出される熱媒の温度を低下させる。逆に、暖房コイル１５から温度制御弁１７に流入した熱媒の温度が前記設定温度よりも低くなると、補助流路１６に流す熱媒の流量の比を減少させて暖房コイル１５に流す熱媒の流量の比を増加させることにより、暖房コイル１５から流出される熱媒の温度を上昇させる。その結果、暖房コイル１５から流出される熱媒の温度が前記設定温度に保たれ、暖房ユニット１から室内に給気される空気は、暖房コイル１５を流れる熱媒と熱交換を行うことにより一定の温度に保たれることになるから、暖房ユニット１の暖房能力を一定に保つことができる。なお、温度制御弁１７は暖房コイル１５に流す熱媒の流量と補助流路１６に流す熱媒の流量との比を調節するものであるから、暖房コイル１５に流す熱媒の流量と補助流路１６に流す熱媒の流量との総和を変化させるものではない。
【００２８】
このように本実施形態では、温度制御弁１７にサーモワックスを用い、給気温度そのものではなく温度制御弁１７を流れる熱媒の温度に応じて暖房コイル１５に流す熱媒の流量を調節する構成を採用したので、図３に示した従来構成では不可欠な温度センサや制御回路が不要になる。したがって、従来構成に比べて部品点数が少なくなり、暖房ユニット１の構造が簡単になる。
【００２９】
ところで、上述した暖房ユニット１では、暖房コイル１５に流す熱媒の流量の比を調節する構成によって給気温度を調節しているが、この構成は、主流路７を通して暖房ユニット１に供給される熱媒の温度が所定の閾値（たとえば３０度）よりも高いことを前提としたものであって、熱媒の温度が前記閾値以下の場合には、上述した構成で所望の給気温度を実現することはできない。たとえば３０度よりも低温の空気を加熱して給気温度を３０度にしたい場合に、暖房ユニット１に供給される熱媒の温度が３０度以下だと、暖房コイル１５に流す熱媒の流量をいくら増やしても給気温度を３０度にすることはできない。特に熱媒の温度が外気の温度よりも低いと、室内に給気される空気が暖房コイル１５を流れる熱媒との熱交換により冷やされ、暖房ユニット１から冷風が給気されてしまう不都合を生じる。そこで、本実施形態では、熱媒の温度が閾値以下となったときの動作を確立するために、以下の構成を採用している。
【００３０】
すなわち、本実施形態の熱利用装置Ａでは、暖房ユニット１の両端間に暖房ユニット１とは別経路で熱媒の流路を形成するバイパス流路１８を設け、バイパス流路１８と暖房ユニット１との分岐点（ここでは暖房ユニット１における熱媒の入口側）に、三方弁からなり熱媒の温度が閾値以下のときに熱媒を暖房ユニット１ではなくバイパス流路１８に流すように流路を切り替える熱媒流路切替弁１９を設けてある。この構成によれば、熱媒の温度が閾値以下のときには熱媒が暖房ユニット１に流入することがなくなるので、暖房ユニット１から冷風が給気されてしまう不都合を回避できる。さらに、暖房ユニット１は熱媒の温度が閾値以下のときには運転を停止し、給気そのものを行わないように構成されている。
【００３１】
ただし、上述した構成では、熱媒の温度が閾値以下か否かを判別する手段が必要になる。ここにおいて、上述のように貯湯用タンク１２内には熱媒の温度を検出する温度センサが設けられているので、この温度センサを熱媒流路切替弁１９の切替や暖房ユニット１の運転停止のための熱媒の温度検出に用いることが望ましい。なお、熱媒流路切替弁１９を切り替える際の熱媒の温度（閾値）は、給湯切替弁１４を切り替える際の熱媒の温度（閾値）と同じであってもよいが、別に設定してもよい。
【００３２】
（実施形態２）
本実施形態の熱利用装置Ａは、暖房ユニット１の構成が実施形態１の熱利用装置Ａとは相違する。
【００３３】
本実施形態の暖房ユニット１は、図２に示すように、乾燥剤がコーティングされ空気中の水分を吸着するデシカントロータ２０（除湿ロータ）を備え、このデシカントロータ２０を通して外気を取り込むことにより外気を除湿して室内に給気する、いわゆるデシカント空調機である。暖房コイル１５は、熱媒の熱を室内に給気される空気中に放熱するように、デシカントロータ２０と給気用の空気の吹出し口との間に配置される。この暖房ユニット１には、給気用通気路２１を通して外気を室内に給気する給気手段だけではなく、給気用通気路２１とは別に設けた排気用通気路２２を通して室内の空気を取り込み室外に排気するファン（図示せず）からなる排気手段を備えている。
【００３４】
ここにおいて、デシカントロータ２０は、給気用通気路２１と排気用通気路２２とに跨って設けられ、給気用通気路２１と排気用通気路２２とに交互に晒されるように回転する構造としてある。ただし、水分を吸着したままの状態ではデシカントロータ２０の除湿能力が低下するので、デシカントロータ２０の水分を脱着することによりデシカントロータ２０を再生する必要である。そこで、図２のように、暖房コイル１５の両端間に暖房コイル１５および補助流路１６とは別経路で熱媒の流路を形成する再生コイル２３を設け、この再生コイル２３で放熱される熱媒の熱によってデシカントロータ２０が加熱されデシカントロータ２０の水分が脱着されるようにしてある。ここでは、再生コイル２３を排気用通気路２２において室内の空気の取込み口とデシカントロータ２０との間に配置しており、再生コイル２３で放熱された熱媒の熱により空気を温風としてデシカントロータ２０に通す構成を採用している。したがって、デシカントロータ２０から脱着された水分は、空気と共に室外に排出されることになる。
【００３５】
ところで、本実施形態の暖房ユニット１は、夏季などで暖房を必要としない場合には、除湿のみに用いられる。この場合には、室内に給気される空気が熱媒の熱で加熱されないように、暖房コイル１５に流す熱媒を止める必要がある。そこで、暖房ユニット１において、暖房コイル１５および補助流路１６と再生コイル２３との分岐点（ここでは暖房コイル１５における熱媒の入口側）には、暖房コイル１５および補助流路１６に熱媒を流すか否かを切り替える運転切替弁２４を設けてある。つまり、暖房が必要な場合には暖房コイル１５および補助流路１６に熱媒を流し、暖房が不要で除湿のみを行う場合には運転切替弁２４を切り替えて暖房コイル１５および補助流路１６に熱媒が流れないようにする。本実施形態の運転切替弁２４は、使用者の操作によって切り替え可能な構成としているが、室温等を検出する温度センサ（図示せず）を設け、温度センサの検出結果から暖房が必要か否かを判断して自動的に切り替わる構成としてもよい。
【００３６】
図３においては、暖房コイル１５と補助流路１６との両方が運転切替弁２４を介して主流路７に接続されており、運転切替弁２４として、主流路７から流入した熱媒を暖房コイル１５および補助流路１６の両方に対して一括して流したり止めたりする三方弁を採用している。そのため、暖房コイル１５における熱媒の入口側において暖房コイル１５と補助流路１６との分岐点よりも上流になる部位と、暖房コイル１５における熱媒の出口側において暖房コイル１５と補助流路１６との合流点よりも下流になる部位との間に再生コイル２３を接続してある。運転切替弁２４は、暖房コイル１５および補助流路１６に熱媒を流す場合と流さない場合とで主流路７を流れる熱媒の流量が変化しないように、暖房コイル１５および補助流路１６に熱媒を流すときには、暖房コイル１５および補助流路１６に流す熱媒の分だけ再生コイル２３に流す流量を減少させ、暖房コイル１５と補助流路１６と再生コイル２３とに流す熱媒の流量の総和を一定に保つ構成としてある。なお、運転切替弁２４は暖房ユニット１に内蔵されていてもよい。
【００３７】
また、暖房ユニット１に流入する熱媒の温度が所定の閾値以下のときに、暖房ユニット１の運転を停止するとともに、熱媒流路切替弁１９によって熱媒を暖房ユニット１ではなくバイパス流路１８に流すように流路を切り替えるようにしているのは実施形態１で説明した通りだが、本実施形態では、再生コイル２３に流れる熱媒の温度が下がると、排気用通気路２２においてデシカントロータ２０を通過する温風の温度が下がり、デシカントロータ２０の水分が脱着されずにデシカントロータ２０の除湿能力が低下するので、デシカントロータ２０を流れる熱媒の温度を既定値以上に維持できるように上記閾値を決めている。
【００３８】
その他の構成および機能は実施形態１と同様である。
【図面の簡単な説明】
【００３９】
【図１】本発明の実施形態１の熱利用装置を示すブロック図である。
【図２】本発明の実施形態２の熱利用装置を示すブロック図である。
【図３】従来例を示すブロック図である。
【符号の説明】
【００４０】
１  暖房ユニット
７  主流路
１５  暖房コイル
１６  補助流路
１７  温度制御弁
１８  バイパス流路
１９  熱媒流路切替弁
２０  デシカントロータ
２１  給気用通気路
２２  排気用通気路
２３  再生コイル
２４  運転切替弁
Ａ  熱利用装置
【図１】
2007255851.tif 000003
【図２】
2007255851.tif 000004
【図３】
2007255851.tif 000005